(57)【要約】【課題】ゲームの進行に合わせた得点の掲示が誰でも簡単に即時にでき、且つ競技者と観戦者が容易に視認できる得点数を掲示するスコアボードを提供すること。【解決手段】得点数を掲示するスコア表示板と点数カードで構成するスコアボードにおいて、一定の書体で数字を記した点数カードを、磁性吸着力によりスコア表示板に吸着させて得点数を掲示できるようにした。【選択図】図３
2005103210.tif 000002
【特許請求の範囲】
【請求項１】
得点数を掲示するスコア表示板と、得点数を表す点数カードで構成するスコアボードにおいて、磁性吸着力により両者を互に吸着させて、点数が表示できるように構成することを特徴とする、磁着カード式スコアボード。
【請求項２】
得点表示欄には予め０を記入しておき、ゲームの進行に従い得点したチームにだけ、その回の得点表示欄に点数カードを吸着させて点数を表示すように構成した、請求項１記載の磁着カード式スコアボード。
【請求項３】
スコアボードのチーム名表示欄を色別に着色した、請求項１ないし２記載の磁着カード式スコアボード。
【発明の詳細な説明】
【発明の詳細な説明】
【技術分野】
【０００１】  本発明は、カーリング又はユニバーサルカーリング（以下、単にカーリングと記す）或いは他の一般的なスポーツ競技の際に使用されるスコアボードに関する。本発明の磁着カード式スコアボードは、各競技者がゲームの進捗状況や得点数を容易で且つ明瞭に視認することが可能であり、競技をスムーズに進行させることを目的に開発されたものである。更に競技に立ち合う審判やスコアラーが実施する得点表示業務を簡便且つ確実に行い、ゲームを安全に進行させるために極めて有効な用具となる、磁着カード式スコアボードに関する。
【背景技術】
【０００２】  従来のスコアボードは固定式や移動式の違いや、ボード自体の大きさや表示形態の違いなど多種のものが存在する。また移動式で表示方法の簡便なものとしては、一般的にホワイトボードや黒板（以下、単にホワイトボード等と記す）などがある。一般的にホワイトボード等は、板面にスコア表の枠線を格子状に描いたもので、この板面にマーカーペンやチョーク（以下、単にマーカーペン等と記す）などを用いて、任意にチーム名や得点数を書き込む形態のものであった。
【発明が解決しようとする課題】
【０００３】  スコアボードの本来的な目的は、ゲームの進捗状況と得点内容を即時表示することにあり、競技者及び観戦者が少なくともゲームの行われているエリア内で、確実に目視し認識できる事が必要条件である。従って表示される得点の数字は、明確に識別できる大きさと明暸な書体が必要である。
【０００４】  然しながら従来の方法によれば、審判またはスコアラー或いは記録員などが、マーカーペン等により得点数を手書きで表示するから、数字の大きさや書体が不統一で甚だ見難いものがある。またマーカーペン等が必須の筆記具となり、消し具も同様に必須のものだから、これらの用具を常に備品として取り揃えて置かなければ、ゲームを進行することができなくなる。
【０００５】  ところが、使用頻度が多かったり各地へ移動したり、また辺鄙な地域へ遠出したりする時には、備品管理や保守点検が疎かになる。その結果、例えばマーカーペンが欠品した場合は、適切な得点の表示ができなくなり、ゲームの進捗状況と戦況の把握が不鮮明の結果、試合運びを著しく阻害することになる。
【０００６】  また更に言及すれば、マーカーペンの類はインキが揮散し易いため、特に夏季などには保管状態や使用頻度によって、使用できない事態が突発的に発生する。そのための予防策として、常に備品の管理や点検が必要となり、常に余分なほどの在庫を保有するなど、多くの無駄や煩わしさがあった。
【課題を解決するための手段】
【０００７】  そこで本発明の目的は、ゲームの進捗状況に合わせ得点の即時掲示が簡便で、競技者及び観戦者が容易に視認できるように、数字の大きさや書体が統一されて見易く、且つ誰でも着脱が簡単にできる磁着式のカードを使用した、磁着カード式スコアボードを提供することにある。
【０００８】  本発明の磁着カード式スコアボードは、上記課題を解決するために提案されたものであって、得点数を掲示するスコア表示板と、得点数を表す点数カードで構成するスコアボードにおいて、磁性吸着力により両者を互に吸着させて、点数が表示できるように構成した、磁着カード式スコアボードが提供される。
【０００９】  また本発明によれば、得点表示欄には予め０を記入しておき、ゲームの進行に従い得点したチームにだけ、その回の得点表示欄に点数カードを吸着させて点数を表示すように構成した、磁着カード式スコアボードが提供される。
【００１０】  また本発明によれば、スコアボードのチーム名表示欄を色別に着色した、磁着カード式スコアボードが提供される。
【発明を実施するための最良の形態】
【００１１】  本発明の、磁着カード式スコアボードの基本構成は、鉄製シートを張ったパネルを基材とするスコア表と磁着式の点数カードを組み合わせてなり、マーカーペン等は一切不要であって、時と場所を選ばずに確実で鮮明に、且つ誰にでも判別し易い得点数を表示できるように構成したものである。【００１２】  すなわち、一般的に使用されるホワイトボード等は、前述の通り得点数を表す書体や数字の大きさは記載者によってまちまちで異なり、甚だ見難いものであった。また更にマーカーペンの類はインクが揮発し易いため、インクが乾いて文字が擦れて見難いことが起こる。また輪郭に濃淡が出るため数字の読み違いを起して、ゲームの判定と進行に大きな障害となることがあった。本発明では、一定の書体と統一された大きさの活字を用いた点数カードを使用するので、誰にでも見易くなり、従来法のような見難さや読み違いを無くすることができるものである。【００１３】  また点数カードは磁着式であるから、表示間違いの際などは簡単に貼り替えができるものである。またゲームが終了した際には、直ちに引き剥がして次のゲーム開始のスタンバイに対応することができるから、スムーズなゲームの進行に極めて有効である。
【実施例】
【００１４】  以下、実施例に基づいて本発明を説明するが、発明の要旨を逸脱しない限りにおいて、これらの例に限定されるものではない。すなわち
図１は、本発明の磁着式スコアボードの実施形態を示す一例の得点表示板の平面図である。基材としての鉄製シートが張られたパネル１は、点数カード１３、１５、１７との関係において磁性吸着力を満足させるものであり、縦横に線が引かれて得点表示欄５及び７が設けられている。横は３段に仕切り、上段に対戦回数を表す回数欄３を、中段には青チーム９の得点数を表示するための得点表示欄５を、下段は黄チーム１１の得点数を表示するための得点表示欄７を、夫々に仕切り描いてある。【００１５】  図２は、本発明の磁着カード式スコアボードの実施形態を示す一例の点数カードの平面図である。点数カード１３は得点数１点を表示するためのカードであり、点数カード１５は得点数２点を表示するためのカードである。また点数カード１７は得点数３点を表示するためのカードである。これらの点数カードは、例えばマグネットシートなどの磁力を有する素材を用いるのが好適である。【００１６】  図３は、本発明の磁着カード式スコアボードの実施形態を示す一例のスコアボードの平面図で、ゲーム進行中の得点表示の一例を示している。即ち、対戦４回まで終了して、５回目に入ることを示す対戦回表示マーク１９が５回の位置に置かれているところを示している。このスコアボードから１回は青チームが１点、２回は黄チームが２点、３回は黄チームが１点、４回は青チームが３点を夫々得点したことが読み取れる。ここでは各点数カードが夫々の該当するチームの得点表示欄５および７の欄に磁力によって吸着されている。【００１７】  ここで特徴的なことは、各回の対戦において一方は必ず０点であることが分る。これはカーリング競技の規則によるものであるが、前述したように得点表示欄に予め０の数字を記入しておくことが極めて有効である。即ちこの効果は０点を掲示するための点数カードを別途に作成する必要がなく、更に毎回の点数表示において一方のチームに必要な、０点の点数カードをもって表示する作業も省けるものである。【００１８】  本図では、パネル１の上端に対戦の回数を表示するための対戦回表示マーク１９が付着している。この対戦回表示マーク１９は、点数カードと同様に磁着式とし、各対戦の回数位置を表すためのマークとして用いるものである。これは対戦の回が進む毎に前進させて進捗度を示すので、相互の競技者が戦略戦術を練るための重要な役割を果たす有効な手段となる。【００１９】図４は、鉄製シートを張ったパネル１の四囲に縁取り枠２１が取り付けられ、更にスタンド２３を取り付けて、競技場において実使用に供し得る形状の一例としての、本発明の実施形態を示す磁着カード式スコアボードの正面図である。
【発明の効果】
【００２０】  以上詳述したように、本発明によればマーカーペンやチョークなどの筆記具を必要とせず、数字の大きさや字体の個人差による見難さがなく、点数カードをパネルに張り付けるだけで、誰もが見易い得点数を掲示することが可能である。従来のようなマーカーペンやチョークおよび消し具の保守保管の煩わしさがなくなり、作業性と保守性を両立させるものである。
【図面の簡単な説明】
【図１】  本発明の磁着カード式スコアボードの実施形態の一例を示す得点表示板の平面図である。
【図２】  本発明の磁着カード式スコアボードの実施形態の一例を示すＡ、Ｂ、Ｃ、３種類の点数カードの平面図である。
【図３】  本発明の磁着カード式スコアボードの実施形態の一例を示すスコアボードの平面図である。
【図４】  本発明の磁着カード式スコアボードの実施形態の一例を示すスタンド形スコアボードの正面図である。
【符合の説明】
１      パネル
３      回数欄
５、７  得点表示欄
９      青チーム名表示欄
１１    黄チーム名表示欄
１３    得点１のカード
１５    得点２のカード
１７    得点３のカード
１９    対戦回表示マーク
２１    縁取り枠
２３    スタンド
【図１】
2005103210.tif 000003
【図２】
2005103210.tif 000004
【図３】
2005103210.tif 000005
【図４】
2005103210.tif 000006